(57)【特許請求の範囲】
【請求項１】
水槽に設置した定盤に載置した被切断材をウォータージェット切断トーチ、プラズマアーク切断トーチ、ガス切断トーチ、レーザ切断トーチの何れかの切断トーチを利用して切断する切断装置に於ける排水処理装置であって、
被切断材を載置する定盤が設置された水槽と、
前記水槽の底面よりも高く且つ水面よりも低い位置から該水槽内の水を排水する排水装置と、
前記排水装置によって排水された水が供給され、底部にピットと、該ピットに向けて傾斜した傾斜面が設けられた処理槽と、
前記処理槽に配置され、該処理槽内に於ける水位が予め設定された高さに達したことを検出する複数のセンサと、
前記処理槽に排水された水に凝集剤を供給する凝集剤供給装置と、
前記処理槽に配置され、排水された水と供給された凝集剤を撹拌する撹拌装置と、
前記処理槽に配置され、上澄み水を排水する上澄み水排水装置と、
前記処理槽の底部に設けたピットに接続され、負圧を作用させて該処理槽から凝集物を吸引し、正圧を作用させて吸引した凝集物を排出する吸引排出装置と、
前記吸引排出装置から排出された凝集物を収容する収容部材と、
を有することを特徴とする切断装置に於ける排水処理装置。
【請求項２】
前記上澄み水排水装置は、上澄み水排水ポンプと、複数のフロートによって前記処理槽の水に浮遊可能に支持された集水部材と、を有し、
前記上澄み水排水ポンプの取水口は前記集水部材に配置されて上澄み水を排水し得るように構成されていることを特徴とする請求項１に記載した切断装置に於ける排水処置装置。
【発明の詳細な説明】
【技術分野】
【０００１】
本発明は、水槽に設置した定盤に載置した被切断材を切断したときに生じた生成物を水中に排出し得るようにした切断装置に於ける排水処理装置に関し、特に、浮遊物が存在する排水を処理することができる排水処理装置に関するものである。
【背景技術】
【０００２】
金属板や非金属板を切断する方法として、ウォータージェット切断方法、プラズマアーク切断方法、レーザ切断方法が実用化されている。また、鋼板を切断する方法として、ガス切断方法が広く利用されている。このような切断方法を実施する装置では、水槽に定盤を設置すると共に水を供給しておき、この定盤に被切断材を載置して切断することで、切断に伴って生じた生成物を水中に落下させるように構成されたものがある。以下、各切断方法について簡単に説明する。
【０００３】
ウォータージェット切断方法は、ウォータージェット切断トーチに装着したノズルから被切断材に向けて研磨剤を混合させた超高圧水を噴射して母材を削ることで、厚さ方向に貫通した溝を形成し、この状態を保持しつつノズルを移動させて切断するものである。切断の進行に伴ってノズルから噴射された水及び研磨剤、被切断材から削られた切粉（粒子状の母材）は、水中に排出される。
【０００４】
ウォータージェット切断方法を採用して被切断材を切断した場合、切断された製品に熱の影響がないため、熱影響に起因する精度の低下を防ぐことができる。また、ノズルから噴射される研磨材を混合した超高圧水によって母材を削り取って切断するため、被切断材の材質が如何なるものであっても切断することができる。
【０００５】
プラズマ切断方法は、プラズマ切断トーチのノズルから被切断材に向けてプラズマアークを噴射して母材を溶融させて排除することで、厚さ方向に貫通した溝を形成し、この状態を保持してノズルを移動させて切断するものである。プラズマ切断方法によって被切断材を切断した場合、切断に伴って生じる溶融した母材や酸化物を含む大量の微粒子がヒュームとして発生する。切断に伴って発生したヒュームは水中に排出され、空気中に飛散することがない。
【０００６】
レーザ切断方法は、レーザ切断トーチから被切断材に向けてレーザ光を照射して母材を溶融させて排除することで、厚さ方向に貫通した溝を形成し、この状態を保持してトーチを移動させて切断するものである。レーザ切断方法によって被切断材を切断した場合、切断に伴って生じる溶融した母材や酸化物を含む生成物が水中に排出される。
【０００７】
ガス切断方法は、ガス切断トーチのノズルから加熱した被切断材に向けて酸素ガス気流を噴射して母材を燃焼、溶融させて排除することで、厚さ方向に貫通した溝を形成し、この状態を保持してノズルを移動させて切断するものである。ガス切断方法によって被切断材を切断した場合、切断に伴って生じる溶融した母材や酸化物を含む生成物が水中に排出される。
【０００８】
上記の如き切断方法を実施した場合、重量の大きい塊は水底に落下する。また、ウォータージェット切断に伴う研磨剤や被切断材から排出された切粉、プラズマ切断に伴うヒューム、或いはレーザ切断やガス切断に伴う微細な粒子は、水槽に貯留された水と混じり合って存在することとなる。
【０００９】
例えば、特許文献１に記載されたウォータージェット加工装置の廃液処理装置が提案されている。この技術は、アブレシブを回収することを目的とするものであり、受水タンクとエジェクタと沈殿槽を具備し、沈殿槽の上澄みを吸い上げて受水タンクに散水し、エジェクタで吸引して分離機に送ることで回収するように構成されている。この技術では、受水槽に沈殿したアブレシブを含む固形物を回収することができる。
【先行技術文献】
【特許文献】
【００１０】
【特許文献１】特開平７−１４８６６５号公報
【発明の概要】
【発明が解決しようとする課題】
【００１１】
ウォータージェット切断トーチによって被切断材を切断したとき、被切断材に衝突した研磨剤の一部が破砕されて極めて微細な粒子が生じる。このような微粒子は水槽の底部に沈殿することなく、収容されている水中を浮遊している。また、プラズマ切断トーチによって被切断材を切断したときも微細な粉塵が生じ、同様にレーザ切断やガス切断の際にも切断に伴って微細な粒子が生じ、これらの微細な粒子は水槽の底部に沈殿することなく水中を浮遊している。
【００１２】
特許文献１に記載された発明は、受水槽に沈殿した固形物を回収するのに適したものであるが、水中を浮遊している微細な粒子を回収することを期待し得ない虞がある。このため、ウォータージェット切断やプラズマ切断に伴って生じた微細な粒子が浮遊することで混濁した混濁水を処理して、微細な粒子を沈殿させると共に処理した水を河川等に放流することができるようにするための技術の開発が要求されているのが実情である。
【００１３】
本発明の目的は、各種の切断方法を実施したときに生じた研磨剤や切粉或いはヒュームが混濁した混濁水を処理し得るようにした切断装置に於ける排水処理装置を提供することにある。
【課題を解決するための手段】
【００１４】
本件発明者は、上記課題を解決するために、ウォータージェット切断トーチを用いて被切断材に対する切断を行い、この切断に伴って生じた微細な粒子が浮遊した状態の混濁水に凝集剤を添加することで、微細な粒子を凝集させることが可能か否か。凝集させることが可能な場合、効果的な凝集を実現する際の条件を確認する実験を行った。
【００１５】
実験は、採水した混濁水に凝集剤を添加して凝集剤濃度が異なる複数のサンプルを作成し、夫々のサンプルの沈殿状態を観察した。その結果、混濁水に於ける微細な粒子の量に応じて変化するものの、混濁水に於ける凝集剤の濃度を調整することで浮遊物を凝集して沈殿させることが可能であるとの知見を得た。
【００１６】
そして、混濁水の原液と、実験後のサンプルについて、昭和４６年度環境庁告示第５９号付表９に基づく方法で分析したところ、１Ｌあたりの浮遊物の量は、原液で１００００ｍｇであったが、上澄み水では１７ｍｇ〜２２ｍｇ程度であった。この上澄み水の場合、河川に放流して問題が生じることはない。
【００１７】
また、混濁水に凝集剤を添加した後、効果的な凝集を実現するための方法を確認したところ、凝集剤を添加した混濁水を撹拌することが有効であること、撹拌する場合、ポンプによって循環させるよりも、プロペラを利用して撹拌する方が有効であることの知見を得た。
【００１８】
このため、本発明に係る切断装置に於ける排水処理装置は、水槽に設置した定盤に載置した被切断材をウォータージェット切断トーチ、プラズマアーク切断トーチ、ガス切断トーチの何れかの切断トーチを利用して切断する切断装置に於ける排水処理装置であって、被切断材を載置する定盤が設置された水槽と、前記水槽の底面よりも高く且つ水面よりも低い位置から該水槽内の水を排水する排水装置と、前記排水装置によって排水された水が供給される処理槽と、前記処理槽に排水された水に凝集剤を供給する凝集剤供給装置と、前記処理槽に配置され、排水された水と供給された凝集剤を撹拌する撹拌装置と、前記処理槽に配置され、上澄み水を排水する上澄み水排水装置と、前記処理槽に接続され、負圧を作用させて該処理槽から凝集物を吸引し、正圧を作用させて吸引した凝集物を排出する吸引排出装置と、前記吸引排出装置から排出された凝集物を収容する収容部材と、を有して構成されるものである。
【００１９】
特に、上記処理槽は、排水装置によって排水された水が供給され、底部にピットと、該ピットに向けて傾斜した傾斜面が設けられると共に該処理槽内に於ける水位及び凝集物の高さが予め設定された高さに達したことを検出する複数のセンサが配置されている。また、処理槽の底部に設けたピットには、負圧を作用させて該処理槽から凝集物を吸引し、正圧を作用させて吸引した凝集物を排出する吸引排出装置が接続されている。
【００２０】
上記切断装置に於ける排水処理装置に於いて、前記上澄み水排水装置は、上澄み水排水ポンプと、複数のフロートによって前記処理槽の水に浮遊可能に支持された集水部材と、を有し、前記上澄み水排水ポンプの取水口は前記集水部材に配置されて上澄み水を排水し得るように構成されていることが好ましい。
【発明の効果】
【００２１】
本発明に係る切断装置に於ける排水処理装置（以下単に「排水処理装置」という）では、ウォータージェット切断トーチ、プラズマ切断トーチ、レーザ切断トーチ或いはガス切断トーチ（以下単に「切断トーチ」という）によって被切断材を切断したときに生じた研磨剤や切粉、ヒューム或いは切断に伴う生成物（以下「研磨剤等」という）が混濁した水を処理して処理水を排水することができる。
【００２２】
即ち、研磨剤等が混濁した水（混濁水）を排水装置によって排水して処理槽に供給し、この混濁水に凝集剤を供給して撹拌することで、混濁した研磨剤等を凝集させることができる。そして、凝集した研磨剤等は処理槽の底部に凝集物として沈殿し、該処理槽の上部には上澄み水の層が形成され、この上澄み水を上澄み水排水装置によって河川に放流することができる。また、沈殿した凝集物を吸引排出装置によって負圧を作用させて吸引し、正圧を作用させて吸引した凝集物を収容部材に排出することができる。
【００２３】
特に、上澄み水排水装置が処理槽に収容されている水に浮遊する集水部材を有しており、この集水部材に上澄み水排水ポンプの取水口が配置されるため、取水口が処理槽の底部から吸引することがなく、上澄み水排水装置から確実に上澄み水のみを吸引することができる。
【００２４】
また、処理槽の底部にはピットと傾斜面が設けられており、該ピットに吸引排出装置の吸引口が接続されることで、底部に沈殿した凝集物を確実に吸引して排出することができる。
【図面の簡単な説明】
【００２５】
【図１】本実施例に係る排水処理装置に於ける切断部の構成を模式的に説明する図である。
【図２】本実施例に係る排水処理装置に於ける処理部の構成を模式的に説明する系統図である。
【発明を実施するための形態】
【００２６】
以下、本発明に係る排水処理装置について説明する。本発明に係る排水処理装置は、水槽に設置した定盤に被切断材を載置して切断トーチによって切断し、この切断に伴って生じた研磨剤等を水中に排出させ、浮遊する研磨剤等により混濁した水を、研磨剤等の凝集物と上澄み水に分離処理し得るようにしたものである。そして、分離した上澄み水は河川等に放流し、凝集物は汚泥として処理し得るように構成したものである。
【００２７】
被切断材を切断する切断トーチは移動装置に搭載されている。そして、切断トーチは定盤の上面の形状と寸法に対応した切断領域を移動し、この移動過程で被切断材を直線的に、或いは曲線的に切断する。このため、移動装置としては、切断トーチを直線的に或いは曲線的に移動させることが可能なものであれば良い。このような移動装置としては、レール上を走行する走行台車と、該走行台車に搭載されてレールと直交する方向に横行する横行キャリッジとを有して構成されたもの、或いは多関節アームを有するロボットとして構成されたものがある。本発明に係る排水処理装置では、これらの何れの構成の移動装置であっても採用することが可能である。
【００２８】
図により本実施例に係る排水処理装置の構成について説明する。本実施例に係る排水処理装置はウォータージェット切断方法を採用しており、被切断材１を切断するための切断部Ａと、研磨剤等が混濁した水を処理して上澄み水と研磨剤等からなる凝集物とに分離する処理部Ｂと、を有している。
【００２９】
切断部Ａは、被切断材１を載置する定盤２と、内部に定盤２を設置した水槽３と、被切断材１を切断する切断トーチ５を搭載して移動させる移動装置６と、を有して構成されている。被切断材１の材質は限定するものではなく、ウォータージェット切断法、プラズマ切断法、レーザ切断法或いはガス切断法の何れかを採用して切断することが可能な材質であれば良い。このような被切断材１としては、鋼板やステンレス鋼板、銅板、アルミニウム板等の金属板、特に、ウォータージェット切断法を採用した場合には、前記した金属板にのみ限定されるものではなく、セラミックスやガラス等を対象とすることも可能である。また、被切断材１の寸法も特に限定するものではなく、切断すべき製品の寸法に合わせた平面寸法や厚さのものであって良い。
【００３０】
定盤２は被切断材１を載置するものであり、この機能を有するものであれば構造を限定するものではない。
【００３１】
水槽３には、内部に定盤２が設置されると共に、底部に形成された基台３ａに排水装置４を構成する水槽排水ポンプ４ｂが配置され、側面の定盤２の上面よりも充分高い位置にレベルセンサ３ｂが設けられている。そして、レベルセンサ３ｂによって水位が定盤２の上面よりも充分に高くなったことを検出したとき、水槽排水ポンプ４ｂを駆動し、水槽３内の水であって底面よりも高く水面よりも低い位置から配管４ａを介して処理部Ｂに排水し得るように構成されている。
【００３２】
切断トーチ５はウォータージェット切断トーチとして構成されており、被切断材１に向けて研磨剤を混合した超高圧水を噴射することで母材を削りとって切断することが可能である。そして、切断トーチ５から噴射された研磨剤と水、及び被切断材１から削りとられた母材は混濁水として水槽３に滞留することとなる。
【００３３】
移動装置６は、水槽３に沿って設置された一対のレール６ａと、レール６ａと直交する方向に配置された横行ガーター６ｂを有しレール６ａ上を走行する門型の走行台車６ｃと、横行ガーター６ｂ上に設けられ切断トーチ５を装着した横行キャリッジ６ｄと、該横行キャリッジ６ｄを駆動する横行駆動装置６ｅと、を有して構成されている。このように構成された移動装置６は、プラズマ切断装置やレーザ切断装置或いはレーザ切断装置やガス切断装置に通常利用されている数値制御方式で制御される。
【００３４】
上記の如く構成された移動装置６では、走行台車６ｃのレール６ａに沿った走行と、横行キャリッジ６ｄの横行ガーター６ｂに沿った横行を同期させることで、切断トーチ５を定盤２に載置された被切断材１の面内に於ける所望の方向に移動させることが可能である。そして、この移動過程で切断トーチ５を稼働させることで、被切断材１を直線的に、或いは曲線的に切断することが可能である。
【００３５】
処理部Ｂは、混濁水を処理する処理槽１０と、凝集剤を供給する凝集剤供給装置１１と、処理槽１０の内部を撹拌する撹拌装置１２と、上澄み水を排水する上澄み水排水装置１３と、凝集物を排出する吸引排出装置１４と、収容部材１５と、を有して構成されている。
【００３６】
処理槽１０は、排水装置４によって供給された研磨剤等と水とが混合した混濁水を上澄み水と凝集物２０とに分離するものである。この処理槽１０には、水槽３から水槽排水ポンプ４ｂ及び配管４ａを介して混濁水が供給される。また、凝集剤供給装置１１から配管１１ｂを介して凝集剤が供給される。そして、供給された凝集剤と混濁水を撹拌装置１２によって充分に撹拌することで、研磨剤等を凝集させて底部に沈殿させると共にきれいになった水を上澄み水として分離処理することが可能である。
【００３７】
処理槽１０の一方側の底面にはピット１０ａが形成されており、他方側から該ピット１０ａに向けて下降するように傾斜した傾斜面１０ｂが形成されている。ピット１０ａは研磨剤等からなる凝集物２０を集合させるために形成されており、傾斜面１０ｂは処理槽１０の底部に沈殿した凝集物２０がピット１０ａに向けて移動し得るように形成されている。傾斜面１０ｂの傾斜角度は限定するものではないが、１／１０程度の勾配で充分である。
【００３８】
処理槽１０には、ピット１０ａ内の水位を検出するセンサ１６ａ、センサ１６ａによる検出レベルよりも高いピット１０ａの上位の水位を検出するセンサ１６ｂ、処理槽１０に於ける混濁水又は上澄み水の上位レベルを検出するセンサ１６ｃ、が配置されている。そして、センサ１６ｂによってピット１０ａの上位の水位を検出したとき吸引排出装置１４を駆動し、センサ１６ａによってピット１０ａの下位の水位を検出したとき吸引排出装置１４の駆動を停止する。また、センサ１６ｃによって処理槽１０に於ける上位レベルを検出したとき、水槽排水ポンプ４ｂの駆動を停止すると共に凝集剤供給装置１１を駆動する。
【００３９】
凝集剤供給装置１１は、凝集剤を収容した容器１１ａと、容器１１ａと処理槽１０を接続する配管１１ｂと、配管１１ｂに設けたポンプ１１ｃとを有して構成されている。従って、ポンプ１１ｃを駆動することで、容器１１ａに収容した凝集剤を処理槽１０に供給することが可能である。
【００４０】
本実施例では、凝集剤として、ＪＩＳ  Ｋ１４７５に規定された水道用ポリ塩化アルミニウム（大明化学工業株式会社製「タイパック」）を用いている。
【００４１】
上記凝集剤を、水槽３から採水した混濁水に添加して濃度が、２００ｐｐｍ、４００ｐｐｍ、６００ｐｐｍ、１０００ｐｐｍ、２０００ｐｐｍとなるサンプルの沈殿状態を観察した。その結果、２０００ｐｐｍのサンプルでは沈殿が生じなかった。２００ｐｐｍ、１０００ｐｐｍのサンプルでは、沈殿に時間がかかるものの、沈殿が生じた。４００ｐｐｍ、６００ｐｐｍのサンプルでは短時間で沈殿が生じた。これらの結果から、混濁水に於ける凝集剤の濃度を４００ｐｐｍ〜１０００ｐｐｍの範囲に調整することで浮遊物を凝集して沈殿させることが可能である。しかし、この濃度範囲は、水槽３から排水された混濁水に於ける微細な粒子の量に応じて変化することは当然である。
【００４２】
撹拌装置１２は、処理槽１０内の混濁水を撹拌するプロペラ１２ａと、プロペラ１２ａを駆動するモータ１２ｂとを有して構成されている。プロペラ１２ａは処理槽１０に設定されている上位レベルよりも低く、傾斜面１０ｂよりも高い位置になるように配置されており、モータ１２ｂに駆動されて処理槽１０に収容され、凝集剤が添加された混濁水を撹拌することが可能である。
【００４３】
上澄み水排水装置１３は、処理槽１０に収容され研磨剤等からなる微細な粒子が凝集して沈殿することで分離した上澄み水を排水するものである。このため、上澄み水排水装置１３は、複数のフロート１３ａを接続して構成した浮動体１３ｂと、先端が浮動体１３ｂの下面側から下方に向けて突出させたホース１３ｃと、ホース１３ｃが接続されたポンプ１３ｄと、を有して構成されている。
【００４４】
浮動体１３ｂは、少なくとも３個のフロート１３ａを等角度間隔に配置すると共に互いに接続して構成されており、処理槽１０に収容された混濁水の水面に浮遊することが可能である。また、ホース１３ｃは、先端が浮動体１３ｂの下面側から下方に突出して配置されることで、浮動体１３ｂを混濁水の水面に浮遊させたとき、該水面よりも下位レベルにある上澄み水を吸引することが可能である。
【００４５】
上記の如く構成された上澄み水排水装置１３では、浮動体１３ｂを混濁水の水面に浮かべると、ホース１３ｃの先端は浮動体１３ｂの下面から混濁水の上位レベルよりも下位にある水中に開口する。そして、上澄み水の排水の進行に伴って水位が低下しても、浮動体１３ｂが常に水面を浮遊することで、常に水面よりも下位のレベルにある上澄み水を吸引して水路１８に排水することが可能である。
【００４６】
吸引排出装置１４は、処理槽１０のピット１０ａに沈殿した凝集物２０を吸引し、吸引した凝集物２０を収容部材１５に排出する機能を有するものである。吸引排出装置１４は、タンク１４ａと、バルブ１４ｃを有しタンク１４ａと処理槽１０のピット１０ａを接続する配管１４ｂと、バルブ１４ｅを有しタンク１４ａと収容部材１５を接続する配管１４ｄと、を有して構成されている。また、タンク１４ａには、該タンク１４ａの内部を負圧にするための真空ポンプ１７ａと、図示しないエアコンプレッサと接続されタンク１４ａの内部を正圧にするためのバルブ１７ｂが接続されている。
【００４７】
上記の如く構成された吸引排出装置１４では、バルブ１４ｃ、１４ｅ、１７ｂを閉鎖して真空ポンプ１７ａを運転することでタンク１４ａの内部に負圧を生じさせることが可能である。そして、タンク１４ａの内部圧が予め設定された値に達したとき、バルブ１４ｃを開放することで、配管１４ｂに負圧を作用させて処理槽１０のピット１０ａに沈殿した凝集物２０を吸引することが可能である。
【００４８】
また、バルブ１４ｃを閉鎖すると共に真空ポンプ１７ａの運転を停止し、バルブ１４ｅ及びバルブ１７ｂを開放してタンク１４ａの内部を正圧とすることで、吸引した凝集物２０をバルブ１４ｅを介して収容部材１５に排出することが可能である。
【００４９】
収容部材１５は、吸引排出装置１４から排出された凝集物２０を排出し得るものであれば良く、構造を限定するものではない。このような収容部材１５としては、例えば、鋼板やコンクリート構造の箱状の部材を利用することが可能である。
【００５０】
図に於いて、１８は水路であり、上澄み水排水装置１３からの排水や、収容部材１５から浸み出た水を流すことが可能である。
【００５１】
上記の如く構成された排水処理装置では、切断部Ａに於いて被切断材１に対する切断が行われ、水槽３に収容された水に切断に伴って生じた研磨剤等の微細な粒子が混濁した混濁水となったとき、排水装置４によって混濁水を処理部Ｂに排水する。
【００５２】
排水装置４からの排水は処理槽１０に供給され、水位が上昇してセンサ１６ｃによって上位レベルに達したことを検出すると、排水装置４からの排水が停止する。処理槽１０に対する混濁水の供給が終了したとき、或いは供給と同時に、凝集剤供給装置１１から凝集剤が供給される。凝集剤は、処理槽１０内の混濁水に添加された凝集剤が予め設定された濃度となるのに必要な量だけ供給される。
【００５３】
処理槽１０に混濁水と凝集剤が供給された後、撹拌装置１２が作動し、プロペラ１２ａが予め設定された時間駆動される。凝集剤の添加とプロペラ１２ａによる撹拌に伴って、混濁水に混濁した微細な粒子が凝集し、凝集物２０が処理槽１０の傾斜面１０ｂ、ピット１０ａに沈殿する。そして、凝集物２０が沈殿して分離することで、残った水は上澄み水となる。
【００５４】
撹拌装置１２を所定時間作動させた後、上澄み水排水装置１３のポンプ１３ｄを駆動し、ホース１３ｃの先端から、処理槽１０に於ける上位レベルよりも下位のレベルにある上澄み水を吸引して水路１８に排水する。上澄み水排水装置１３による上澄み水の排水に伴って水位が低下するが、浮動体１３ｂが水面に浮遊することから、水位の低下に関わらず安定した状態で上澄み水の排水を行うことが可能である。そして、センサ１６ｂによって水位が予め設定されたレベルまで低下したことを検出したとき、上澄み水排水装置１３の作動が停止する。
【００５５】
次いで、吸引排出装置１４では、処理槽１０のピット１０ａから凝集物２０を吸引するために、真空ポンプ１７ａによってタンク１４ａの内部に負圧を作用させてバルブ１４ｃを開放する。バルブ１４ｃの開放によって配管１４ｂに負圧が作用し、これにより、ピット１０ａにある凝集物２０をタンク１４ａに吸引することが可能である。そして、センサ１６ａがピット１０ａ内の水位を検出したとき、バルブ１４ｃを閉鎖すると共に、真空ポンプ１７ａを停止する。
【００５６】
その後、バルブ１４ｅ、１７ｂを開放してタンク１４ａ内の圧力を上昇させることで、該タンク１４ａに吸引した凝集物２０を収容部材１５に排出する。
【００５７】
上記の如くして切断部Ａの水槽３にある混濁水を処理して研磨剤等からなる微細な粒子を凝集させて沈殿させ、残った上澄み水を排水して河川等に放流することが可能となる。
【産業上の利用可能性】
【００５８】
本発明に係る排水処理装置は、水槽に設置された定盤に載置した被切断材に対する切断に伴って生じ、水中に排出されて浮遊する生成物が存在するような切断装置であれば利用することが可能である。
【符号の説明】
【００５９】
Ａ                切断部
Ｂ                処理部
１                被切断材
２                定盤
３                水槽
３ａ              基台
３ｂ              レベルセンサ
４                排水装置
４ａ              配管
４ｂ              水槽排水ポンプ
５                切断トーチ
６                移動装置
６ａ              レール
６ｂ              横行ガーター
６ｃ              走行台車
６ｄ              横行キャリッジ
６ｅ              横行駆動装置
１０              処理槽
１０ａ            ピット
１０ｂ            傾斜面
１１              凝集剤供給装置
１１ａ            容器
１１ｂ            配管
１１ｃ            ポンプ
１２              撹拌装置
１２ａ            プロペラ
１２ｂ            モータ
１３              上澄み水排水装置
１３ａ            フロート
１３ｂ            浮動体
１３ｃ            ホース
１３ｄ            ポンプ
１４              吸引排出装置
１４ａ            タンク
１４ｃ、１４ｅ    バルブ
１４ｂ、１４ｄ    配管
１５              収容部材
１６ａ〜１６ｃ    センサ
１７ａ            真空ポンプ
１７ｂ            バルブ
１８              水路
２０              凝集物
【図１】
0006632351.tif 000002
【図２】
0006632351.tif 000003